(57)【特許請求の範囲】
【請求項１】
テールゲートの内部に配置されたディフレクタと、
前記ディフレクタに沿うように設けられたガイドレールと、
前記ガイドレールに沿って昇降する積込板と、
前記積込板の下部に支持され、断面が弧状の押圧面に塵芥を押圧する複数の突起が所定方向に突設された押圧板と、
前記積込板の下部に回動自在に枢着され、前記押圧面に沿って回動して塵芥を掻き込む掻込面に、前記突起に付着した塵芥を除去する部材を一体に保持してなる掻込板とを備えた塵芥収集車の塵芥積込装置。
【請求項２】
前記掻込板の回動により前記部材が前記突起の間を移動することを特徴とする請求項１に記載の塵芥収集車の塵芥積込装置。
【請求項３】
前記積込板の昇降及び前記掻込板の回動を制御する制御装置を備え、
前記制御装置は、前記押圧面が前記テールゲートの底板側に向いた状態にて、
（１）前記積込板が上昇位置にあり、前記掻込面が前記押圧面の前端側に位置する状態から、前記掻込板を回動させて前記掻込面を前記押圧面の後端側に回動させる工程と、
（２）前記（１）の工程の後に、前記積込板を下降させて前記押圧面を前記底板に接近させる工程と、
（３）前記（２）の工程の後に、前記掻込板を回動させて前記掻込面を前記押圧面の前端側に回動させる工程と、
（４）前記（３）の工程の後に、前記積込板を上昇させて前記（１）に記載の状態に復帰させる工程と、
を１サイクルとして実行することを特徴とする請求項１又は請求項２に記載の塵芥収集車の塵芥積込装置。
【請求項４】
前記掻込面に塵芥に押圧する複数の突起が所定方向に付けられており、この突起の端部が前記部材であることを特徴とする請求項１から請求項３のうちいずれか一に記載の塵芥収集車の塵芥積込装置。
【発明の詳細な説明】
【技術分野】
【０００１】
本発明は、塵芥収集車の塵芥積込装置に関し、特に、ペットボトル等のように嵩高で復元力の強い塵芥の収集に適した塵芥収集車の塵芥積込装置に関する。
【背景技術】
【０００２】
ペットボトル等のプラスチック容器を効率的に圧縮して積込むためには、容器内部の空気を円滑に排出することが重要となる。
特許文献１記載の第１の実施形態（同文献図１等参照）によれば、塵芥の圧縮及び掻き込みを行う押込板（同文献中２１）の突起（同文献中３１）が設けられた押込面（同文献中２１ａ）を底板（同文献中３２）との間で容器に押し付けて内部の残留空気を排出しつつ容器を圧縮する。
また、特許文献１記載の第２の実施形態（同文献図１４〜図２３参照）によれば、予圧縮プレート（同文献中６２）の突起（同文献中６５）を設けた面と押込板（同文献中６１）の背面とで容器を挟み付けて容器内の残留空気を予め排出する。
【特許文献１】特開平１０−０３５８１２号公報
【発明の開示】
【発明が解決しようとする課題】
【０００３】
しかし、以上の従来技術にかかる塵芥積込装置により圧縮積込作業を繰り返しているうちに、上記突起の間に塵芥が詰まったり上記突起に塵芥が刺さったりして突起を有した面に塵芥が残留し、突起が十分に作用せず、効率的に容器を圧縮できなくなるという問題がある。
【０００４】
本発明は以上の従来技術における問題に鑑みてなされたものであって、突起を有した面を塵芥に押し付けて塵芥を圧縮する装置を備えた塵芥収集車の塵芥積込装置において、突起を有した面に残留する塵芥を除去し、長期にわたり突起を十分に作用させて効率的に塵芥を圧縮することを課題とする。
【課題を解決するための手段】
【０００５】
以上の課題を解決するための請求項１記載の発明は、テールゲートの内部に配置されたディフレクタと、
前記ディフレクタに沿うように設けられたガイドレールと、
前記ガイドレールに沿って昇降する積込板と、
前記積込板の下部に支持され、断面が弧状の押圧面に塵芥を押圧する複数の突起が所定方向に突設された押圧板と、
前記積込板の下部に回動自在に枢着され、前記押圧面に沿って回動して塵芥を掻き込む掻込面に、前記突起に付着した塵芥を除去する部材を一体に保持してなる掻込板とを備えた塵芥収集車の塵芥積込装置である。
【０００６】
請求項２記載の発明は、前記掻込板の回動により前記部材が前記突起の間を移動することを特徴とする請求項１に記載の塵芥収集車の塵芥積込装置である。
【００１０】
請求項３記載の発明は、前記積込板の昇降及び前記掻込板の回動を制御する制御装置を備え、
前記制御装置は、前記押圧面が前記テールゲートの底板側に向いた状態にて、
（１）前記積込板が上昇位置にあり、前記掻込面が前記押圧面の前端側に位置する状態から、前記掻込板を回動させて前記掻込面を前記押圧面の後端側に回動させる工程と、
（２）前記（１）の工程の後に、前記積込板を下降させて前記押圧面を前記底板に接近させる工程と、
（３）前記（２）の工程の後に、前記掻込板を回動させて前記掻込面を前記押圧面の前端側に回動させる工程と、
（４）前記（３）の工程の後に、前記積込板を上昇させて前記（１）に記載の状態に復帰させる工程と、
を１サイクルとして実行することを特徴とする請求項１又は請求項２に記載の塵芥収集車の塵芥積込装置である。
【００１１】
請求項４記載の発明は、前記掻込面に塵芥に押圧する複数の突起が所定方向に付けられており、この突起の端部が前記部材であることを特徴とする１から請求項３のうちいずれか一に記載の塵芥収集車の塵芥積込装置である。
【発明の効果】
【００１２】
本発明によれば、突起を有した面を塵芥に押し付けて塵芥を圧縮する装置を備えた塵芥積込装置において、突起を有した面に残留する塵芥を除去し、長期にわたり突起を十分に作用させて効率的に塵芥を圧縮することができるという効果がある。
【００１３】
特に、請求項２に記載の発明によれば、掻込板の掻込動作によって、部材が突起の間を移動する動作を実行でき、効率的、かつ、掻込動作ごとに突起を有した面に残留する塵芥を除去することができる。
【００１４】
請求項３記載の発明によれば、１サイクル実行中に、押圧板はその押圧面が底板側に向いた状態であるから、押圧板が動作する場合に比較して、塵芥収容箱に掻き込んだ塵芥の逆流を防止する効果がある。なお、この場合、押圧板は積込板に機構的動作不能に固定したものであっても、積込板に対して機構的動作可能に取付けたものを制御して定位置に保持して使用するものであっても良い。
また、請求項３記載の発明によれば、工程（２）の積込板の下降に伴い押圧板によって塵芥を圧縮しても、掻込板の掻込面が押圧板の押圧面の後端側に配置されているので、押圧板と底板との間で圧縮される塵芥が押圧面の後端側の投入口へ排出されることが防がれる。
【００１５】
また、請求項４記載の発明によれば、掻込板の掻込面をも突起を有して塵芥に押圧する押圧面とされ、押圧板の下降時のみならず掻込板の掻込時に突起を有した面を塵芥に押圧することができる。押圧板の突起を有した押圧面に残留する塵芥を除去する部材は掻込板の突起の端部とされ、構成が簡素化するとともに、押圧板の突起間に保持された塵芥に対しても掻込板の突起を押圧することができ、効率的に容器を圧縮することができる。                                           
【発明を実施するための最良の形態】
【００１６】
以下に本発明の一実施の形態につき図面を参照して説明する。以下は本発明の一実施形態であって本発明を限定するものではない。
【００１７】
図１は、本実施形態に係る塵芥収集車の後部側面を一部断面で示す側面図である。
図１に示すように、塵芥収集車は、車体１と、この車体１に搭載された塵芥を収容するためのボディ２と、このボディ２の後端に枢着されたテールゲート３と、このテールゲート３の内部に配設された塵芥積込装置４とを有して構成されている。
テールゲート３は、扉３ａ，３ｄ、両側壁３ｂ，３ｂ及び底板３ｃにより箱状に構成され、図１に示す状態では前側をボディ２の後部開口に接続している。
【００１８】
塵芥積込装置４は、テールゲート３の内部上方に固定されたディフレクタ５と、テールゲート３の両側壁３ｂ，３ｂにディフレクタ５に沿うように設けられたガイドレール６，６と、これらのガイドレール６，６にローラ（図示せず）を介して昇降自在に支持された積込板７と、掻込板８と、押圧板１０とを備える。
さらに塵芥積込装置４は、積込板７をガイドレール６，６に沿って昇降させる図示しないシリンダと、枢軸１２を中心に掻込板８を回動させる図示しないシリンダと、枢軸１２を中心に押圧板１０を回動させる図示しないシリンダとを備える。
【００１９】
テールゲート３の後部に設けた扉３ａ，３ｄを開くと塵芥投入口９が開放され、その状態で、塵芥（図示せず）が塵芥投入口９からテールゲート３の底板３ｃ上に投入される。本実施形態では塵芥はプラスチック容器であるとする。塵芥積込装置４は、投入された塵芥を圧縮し、ボディ２側へ掻き込む。
【００２０】
掻込板８及び押圧板１０は、枢軸１２により積込板７の下部に同軸で回動自在に枢着されている。
押圧板１０の押圧面１０ａは、図１に示すように断面が枢軸１２を中心にした弧状に配置されている。押圧面１０ａには塵芥に押圧する突起１０ｂが複数設けられている。
掻込板８の掻込面８ａは、平面状である。掻込面８ａにも塵芥に押圧する突起８ｂが複数設けられている。
突起８ｂの端部８ｂ-１が、押圧面１０ａの突起１０ｂ，１０ｂ間に詰まった塵芥の除去用の部材を兼ねている。以下、これを塵芥除去部材と呼ぶ。
【００２１】
図２は、押圧板１０の押圧面１０ａ及び掻込板８の掻込面８ａが見えるように描いた押圧板１０及び掻込板８の平面図である。
図２に示す回動軸１３に枢軸１２が配置されて、枢軸１２が積込板７、掻込板８及び押圧板１０の各端部に設けられた孔に挿入されることにより積込板７に掻込板８及び押圧板１０が連結される。
図２に示すように、掻込板８は回動軸１３に沿って延在する本体部８ｃを有する。本体部８ｃに掻込面８ａ及び突起８ｂが一体に保持されている。本体部８ｃの両端に結合した腕部８ｄ，８ｄが回動軸１３まで延設されている。本体部８ｃ及び両腕部８ｄ，８ｄに囲まれる空間に押圧板１０が収まるように配置されている。
【００２２】
掻込面８ａの突起８ｂは、図１に示すように直線状に配置された鋸刃状に形成されており、図２に示すように回動軸１３に対して垂直な多条の構成で配置されている。
押圧面１０ａの突起１０ｂは、図１に示すように円弧状に配置された鋸刃状に形成されており、図２に示すように回動軸１３に対して垂直な多条の構成で、かつ、回動軸１３に沿って掻込面８ａの突起８ｂの間になる位置に配置されている。
【００２３】
図１及び図２に示すように、突起８ｂの端部である塵芥除去部材８ｂ-１は、押圧面１０ａに接触しない程度に近接し、突起１０ｂ，１０ｂ間に配置されている。
【００２４】
さらに本実施形態の塵芥積込装置４は、上述した各シリンダを駆動して積込板７の昇降、並びに掻込板８及び押圧板１０の回動を制御する図示しない制御装置を備え、以下に説明する動作を実行する。
【００２５】
次に、本実施形態の塵芥積込装置の動作につき説明する。
前提として、制御装置は、図１に示すように押圧面１０ａが底板３ｃ側に向いた状態に押圧板１０を保持する。なお、押圧板１０を図１に示す角度に固定しておけば、押圧板１０を回動させるシリンダやその駆動制御系統は不要である。押圧板１０は積込板７と一体に形成したものでも良いし、溶接等により積込板７に結合したものでも良い。
制御装置は、以下の（１）〜（４）を１サイクルとした積込動作を制御する。この動作は、どの状態から始まっても良いが、通常の停止状態は図６に示される状態であるので、この状態から説明する。
【００２６】
（１）掻込板後転工程
図６に示すように、積込板７が上昇位置にあり、掻込面８ａが押圧面１０ａの前端側に位置する状態から、掻込板８を回動させて掻込面８ａを押圧面１０ａの後端側に回動させ、図１に示す状態とする。
このとき、押圧板１０をも掻込板８と同様に回動させてしまうと、一旦、ボディ２に掻き込んだ塵芥が逆流するおそれがある。しかし、押圧板１０は回動しないので、押圧板１０が回動する場合に比較してボディ２に掻き込んだ塵芥の逆流を防止する効果がある。
【００２７】
（２）下降工程（一次圧縮工程）
次に、図３、さらに図４に示すように積込板７を下降させて押圧面１０ａを底板３ｃに接近させてゆく。このとき、底板３ｃ上の塵芥には、突起１０ｂが押し付けられて孔が空けられ空気が排出される。塵芥は空気を排出しながら押圧面１０ａと底板３ｃとに挟まれて圧縮される（一次圧縮）。また、塵芥投入口９側には掻込面８ａが配置されているので、圧縮される途上の塵芥が塵芥投入口９から排出されることが防がれる。
【００２８】
（３）掻込板前転工程（二次圧縮工程）
次に、掻込板８を回動させて掻込面８ａを押圧面１０ａの前端側に回動させ、図５に示す状態とする。このとき、掻込面８ａは、塵芥のすり抜けがないように押圧面１０ａと底板３ｃと両側壁３ｂ，３ｂとで囲まれた空間のほぼ全体を占める軌跡を描くように回転移動する。それと同時に、下降工程で一次圧縮された塵芥は、掻込面８ａと底板３ｃの前端部の傾斜面３ｃ-１とに挟まれて圧縮される（二次圧縮）。このとき、掻込面８ａの突起８ｂは、塵芥に対し押圧面１０ａの突起１０ｂと同様に作用する。すなわち、塵芥には突起８ｂが押し付けられて孔が空けられ空気が排出される。
【００２９】
また、本工程において、突起８ｂの端部である塵芥除去部材８ｂ-１が、押圧面１０ａの突起１０ｂ，１０ｂ間に詰まった塵芥を除去する。すなわち、塵芥除去部材８ｂ-１は、押圧板１０との相対移動の過程において突起１０ｂ，１０ｂ間を移動することによって、突起１０ｂ，１０ｂ間に詰まった塵芥をこそぎ落とす。
【００３０】
（４）上昇工程
次に、積込板７を上昇させて図６に示す状態に復帰させる。このとき、掻込面８ａ及び押圧板１０の前側の側面１０ｃは、傾斜面３ｃ-１に沿って上昇しボディ２に塵芥を押し込む。
【００３１】
さらに、２サイクル以上実行する場合は、上記（１）の掻込板後転工程に戻って上記（１）〜（４）の１サイクルを繰り返す。
【００３２】
以上の実施形態においては掻込板８の掻込動作によって塵芥除去部材８ｂ-１による塵芥除去動作を実行した。これに拘わらず、掻込板８を停止して押圧板１０を回動させたり、掻込板８及び押圧板１０の両者を回動させて塵芥除去部材８ｂ-１が突起の間を移動することにより塵芥除去動作を実行してもよい。この場合も、押圧面１０ａに残留する塵芥を除去することができる。しかしながら、一連の積込動作外で塵芥除去動作を行うと効率面が劣る。
【００３３】
以上の実施形態においては塵芥除去部材８ｂ-１を掻込板８に設け掻込板８を介して積込板７に保持した。これに拘わらず、塵芥除去部材を側壁３ｂなどの他の部分に保持しても良い。この場合も、押圧面１０ａに残留する塵芥を除去することができる。しかしながら、掻込板８を有する場合は、掻込板８と干渉しないようにするために、構造が複雑化するおそれがある。
【００３４】
以上の実施形態に拘わらず、掻込板８に突起８ｂを設けなくてもよい。但し、塵芥除去部材は単独に設ける。しかしながら、上記した二次圧縮工程において塵芥を押圧する突起が無いためにペットボトルなどの容器の塵芥に対する圧縮が不効率になるおそれがある。
【００３５】
塵芥に押圧する突起や塵芥除去部材の形状、数、配置は任意である。例えば、塵芥に押圧する突起を円錐状の突起として多数散点状に配置してよい。塵芥に押圧する突起の構成に応じて塵芥除去部材の形状、数、配置を適度に選択する。
【図面の簡単な説明】
【００３６】
【図１】本発明の一実施形態に係る塵芥収集車の後部側面を一部断面で示す側面図である。
【図２】本発明の一実施形態に係る押圧板及び掻込板の平面図である。
【図３】図１と同様の側面図であって、異なる状態を示す。
【図４】図１と同様の側面図であって、異なる状態を示す。
【図５】図１と同様の側面図であって、異なる状態を示す。
【図６】図１と同様の側面図であって、異なる状態を示す。
【符号の説明】
【００３７】
１     車体
２     ボディ
３     テールゲート
３ｂ，３ｂ    側壁
３ｃ   底板
３ａ，３ｄ    扉
４     塵芥積込装置
５     ディフレクタ
６，６ ガイドレール
７     積込板
８     掻込板
８ａ   掻込面
８ｂ   突起
８ｂ-１塵芥除去部材
９     塵芥投入口
１０   押圧板
１０ａ 押圧面
１０ｂ 突起
１２   枢軸
【図１】
0004709063.tif 000002
【図２】
0004709063.tif 000003
【図３】
0004709063.tif 000004
【図４】
0004709063.tif 000005
【図５】
0004709063.tif 000006
【図６】
0004709063.tif 000007